【手続補正書】
【提出日】平成21年10月7日(2009.10.7)
【手続補正１】
【補正対象書類名】特許請求の範囲
【補正対象項目名】全文
【補正方法】変更
【補正の内容】
【特許請求の範囲】
【請求項１】
ＣＱ（channel quality）の指示を提供する方法であって、
ＣＱを決定するために測定を実行するステップと、
前記決定されたＣＱにより変調フォーマットを決定するステップと、
前記決定された変調フォーマットを含む前記ＣＱの指示を送信するステップと
を備えたことを特徴とする方法。
【請求項２】
前記決定されたＣＱは、ダウンリンクの時間間隔における受信信号のコードパワーの測定および干渉信号のコードパワーの測定に基づくことを特徴とする請求項１に記載の方法。
【請求項３】
前記変調フォーマットは、予め定められかつ固定されていることを特徴とする請求項１に記載の方法。
【請求項４】
ＣＱ（channel quality）の指示を提供するよう構成されているＵＥ（user equipment）であって、
ＣＱを決定するために測定を実行するよう構成されているＣＱ判定デバイスと、
前記決定されたＣＱにより変調フォーマットを決定するよう構成されている変調を決定するデバイスと、
前記決定された変調フォーマットを含む前記ＣＱの指示を送信するよう構成されているトランスミッタと
を備えたことを特徴とするＵＥ。
【請求項５】
受信信号のコードパワーを測定するよう構成されているパワー測定デバイスと、
干渉信号のコードパワーを測定するよう構成されているタイムスロット干渉測定デバイスと
をさらに備え、前記パワー測定デバイスおよびタイムスロット干渉測定デバイスは、前記ＣＱ判定デバイスに入力を提供するよう構成されていることを特徴とする請求項４に記載のＵＥ。
【請求項６】
ＣＱ（channel quality）の指示を提供する方法であって、
ＲＳＣＰ（received signal code power）を測定するステップと、
ＩＳＣＰ（interference signal code power）を測定するステップと、
前記測定されたＲＳＣＰおよびＩＳＣＰによりサポートすることができる、少なくとも１つのダウンリンクの変調の設定を選択するステップと、
前記選択された変調の設定によりＣＱの指示を決定するステップと、
前記ＣＱの指示を送信するステップと
を備えたことを特徴とする方法。
【請求項７】
前記変調の設定は、予め定められかつ固定されていることを特徴とする請求項６に記載の方法。
【請求項８】
ＣＱ（channel quality）の指示を提供するよう構成されているユーザー装置であって、
ＲＳＣＰ（received signal code power）を測定するよう構成されているパワー測定デバイスと、
ＩＳＣＰ（interference signal code power）を測定するよう構成されているタイムスロット干渉測定デバイスと、
前記測定されたＲＳＣＰおよびＩＳＣＰによりサポートすることができる、少なくとも１つのダウンリンクの変調の設定を選択するよう構成されている選択するデバイスと、
前記選択された変調の設定によりＣＱの指示を決定するよう構成されているＣＱ判定デバイスと、
前記決定されたＣＱの指示を送信するよう構成されているトランスミッタと
を備えたことを特徴とするユーザー装置。
【請求項９】
ＣＱ（channel quality）測定を処理する方法であって、
第１のダウンリンク信号を送信するために変調および符号化の設定を選択するステップと、
前記選択された変調および符号化の設定により前記第１のダウンリンク信号を送信するステップと、
前記送信された第１のダウンリンク信号によりＣＱの値を含むアップリンク信号を受信するステップと、
前記受信されたＣＱの値に応答して前記変調および符号化の設定を調整するステップと、
前記調整された変調および符号化の設定により第２のダウンリンク信号を送信するステップと
を備えたことを特徴とする方法。
【請求項１０】
前記第１のダウンリンク信号は、ダウンリンクリファレンス信号、共通パイロットチャネル、または共通パイロット物理チャネルのうちの１つであることを特徴とする請求項９に記載の方法。
【請求項１１】
前記ＣＱの値は、前記送信された第１のダウンリンク信号についてのＲＳＣＰ（received signal code power）の測定およびＩＳＣＰ（interference signal code power）の測定に部分的に基づくことを特徴とする請求項９に記載の方法。
【請求項１２】
前記ＣＱの値は、ＲＳＣＰとＩＳＣＰとの比であることを特徴とする請求項１１に記載の方法。
【請求項１３】
ＣＱ（channel quality）測定を処理する方法であって、
パワーレベル設定を選択するステップと、
前記選択されたパワーレベル設定により第１のダウンリンク信号を送信するステップと、
前記送信された第１のダウンリンク信号によりＣＱの値を含むアップリンク信号を受信するステップと、
前記受信されたＣＱの値に応答して前記パワーレベル設定を調整するステップと、
前記調整されたパワーレベル設定により基地局から第２のダウンリンク信号を送信するステップと
を備えたことを特徴とする方法。
【請求項１４】
前記第１のダウンリンク信号は、ダウンリンクリファレンス信号、共通パイロットチャネル、または共通パイロット物理チャネルのうちの１つであることを特徴とする請求項１３に記載の方法。
【請求項１５】
前記ＣＱの値は、前記第１のダウンリンク信号についてのＲＳＣＰ（received signal code power）の測定およびＩＳＣＰ（interference signal code power）の測定に部分的に基づくことを特徴とする請求項１３に記載の方法。
【請求項１６】
前記ＣＱの値は、ＲＳＣＰとＩＳＣＰとの比であることを特徴とする請求項１５に記載の方法。
【請求項１７】
ダウンリンクの通信設定を選択する方法であって、
ＵＥ（user equipment）が、基地局からの信号を受信するステップと、
前記受信された信号によりＣＱ（channel quality）の値を決定するステップと、
前記決定されたＣＱの値により変調および符号化の設定を選択するステップと、
前記選択された変調および符号化の設定を前記基地局に送信するステップと
を備えたことを特徴とする方法。
【請求項１８】
前記信号は、ダウンリンクリファレンス信号、共通パイロットチャネル、または共通パイロット物理チャネルのうちの１つであることを特徴とする請求項１７に記載の方法。
【請求項１９】
前記ＣＱの値は、前記受信された信号についてのＲＳＣＰ（received signal code power）の測定およびＩＳＣＰ（interference signal code power）の測定に部分的に基づくことを特徴とする請求項１７に記載の方法。
【請求項２０】
前記ＣＱの値は、ＲＳＣＰとＩＳＣＰとの比であることを特徴とする請求項１９に記載の方法。
【請求項２１】
ダウンリンクの通信設定を選択するよう構成されているＵＥ（user equipment）であって、
基地局からの信号を受信するよう構成されているレシーバと、
前記受信された信号によりＣＱ（channel quality）の値を決定するよう構成されているＣＱ判定デバイスと、
前記決定されたＣＱの値により変調および符号化の設定を選択するよう構成されている変調および符号化の設定のデバイスと、
前記選択された変調および符号化の設定を前記基地局に送信するよう構成されているトランスミッタと
を備えたことを特徴とするＵＥ。
【請求項２２】
前記信号は、ダウンリンクリファレンス信号、共通パイロットチャネル、または共通パイロット物理チャネルのうちの１つであることを特徴とする請求項２１に記載のＵＥ。
【請求項２３】
前記ＣＱの値は、前記受信された信号についてのＲＳＣＰ（received signal code power）の測定およびＩＳＣＰ（interference signal code power）の測定に部分的に基づくことを特徴とする請求項２１に記載のＵＥ。
【請求項２４】
前記ＣＱの値は、ＲＳＣＰとＩＳＣＰとの比であることを特徴とする請求項２３に記載のＵＥ。